(57)【要約】【課題】映像信号にテロップ信号を合成するテロップシステムにおいて、異常発生時に映像信号の供給側か、テロップ信号を生成し映像信号と合成するテロップ装置側か、どちらに原因があるのかを短時間で簡単に把握出来るテロップ装置を提供する。【解決手段】文字や図形などからなるＣＧ信号を作成するＣＧ画像作成手段と、映像信号を入力する映像信号入力手段と、テスト信号を作成するテスト信号作成手段と、映像信号と前記テスト信号とを選択して選択信号を生成する選択信号生成手段と、ＣＧ信号と選択信号の合成範囲及び合成量を制御するキー信号を生成するキー信号生成手段と、選択信号とＣＧ信号とを、キー信号により合成範囲及び合成量をそれぞれ制御して合成映像信号を生成する合成映像信号生成手段とを有し、テスト信号もしくはキー信号のいずれかを選択しこれを映像信号出力として用い、キー信号と同時に出力する。【選択図】      図１
2005229458.tif 000002
【特許請求の範囲】
【請求項１】
文字や図形などからなるＣＧ信号を生成するＣＧ信号生成手段と、
映像信号を入力する映像信号入力手段と、
テスト信号を生成するテスト信号生成手段と、
前記映像信号と前記テスト信号のいずれかを選択する選択手段と、
前記ＣＧ信号と、前記映像信号と前記テスト信号のいずれかの信号との表示画面上における合成範囲及び合成量を制御するキー信号を生成するキー信号生成手段と、
前記ＣＧ信号と、前記映像信号と前記テスト信号のいずれかの信号とを用いて、前記キー信号により前記合成範囲及び合成量をそれぞれ制御して合成映像信号を生成する合成映像信号生成手段と、
を有するテロップ装置において、
前記選択手段により前記テスト信号を選択し前記ＣＧ信号との前記合成映像信号を生成し出力することを特徴とするテロップ装置。
【請求項２】
文字や図形などからなるＣＧ信号を生成するＣＧ信号生成手段と、
映像信号を入力する映像信号入力手段と、
前記ＣＧ信号と映像信号との表示画面上における合成範囲及び合成量を制御するキー信号を生成するキー信号生成手段と、
前記ＣＧ信号と前記映像信号とを用いて、前記キー信号により前記合成範囲及び合成量をそれぞれ制御して合成映像信号を生成する合成映像信号生成手段と、
前記キー信号と前記合成映像信号のいずれかを選択する選択手段と、
を有するテロップ装置において、
前記選択手段により前記キー信号を選択して出力することを特徴とするテロップ装置。
【発明の詳細な説明】
【技術分野】
【０００１】
本発明は、テロップ装置により生成されたＣＧ（Computer Graphics）画像とキー信号を用いて、ＣＧ画像と映像信号の合成を行うテロップシステムに関する。
【背景技術】
【０００２】
テロップ装置は、文字や図形等のＣＧ画像を生成して、この生成した画像を映像信号に合成する装置であり、合成に用いるＣＧ画像は動画や静止画がある。
【０００３】
合成する際に、ＣＧ画像と映像信号の領域を判別するのに使用するのがテロップ装置から出力されるキー信号である。従ってＣＧ画像とキー信号は、テロップ装置では同時に生成し、出力する。
【０００４】
図２にテロップ装置を用いたシステム構成図を示す。図２（Ａ）では、再生用ＶＴＲ５、テロップ装置６、録画用ＶＴＲ７と、それぞれにビデオモニタ１，２，４とテロップ装置６用に制作用ディスプレイが付加されている。
【０００５】
次に、図２（Ａ）のテロップ装置を用いたシステム構成の動作を説明する。まず再生用ＶＴＲ５からＴａｐｅに録画された映像を再生し、ビデオモニタ１で確認しながらテロップ装置６へＶｉｎとして入力する。
【０００６】
テロップ装置６では文字や図形等のＣＧ画像を生成し、この生成した画像を制作用ディスプレイ３にＲＧＢ信号で表示して確認すると共に、ＮＴＳＣ信号であるＶｉｎと合成してビデオモニタ２に表示し、出力映像信号Ｖｏｕｔとして出力する。
【０００７】
再生された映像信号Ｖｉｎはテロップ装置６で文字や図形等のＣＧ画像を合成された出力映像信号Ｖｏｕｔとして生成されるから、この出力映像信号Ｖｏｕｔを録画用ＶＴＲ７で再びＴａｐｅにビデオモニタ４で確認しながら録画する。
【０００８】
図２（Ｂ）は、図２（Ａ）のシステムにスイッチャ９を加えて映像信号とＣＧ画像との合成機能を向上させたシステム構成である。このシステムでは各装置から出力される映像信号の同期信号のタイミングを一致させるため、同期信号発生器８から同じタイミングの同期信号Ｓｙｎｃを再生用ＶＴＲ５、テロップ装置６、スイッチャ９に加える。
【０００９】
そして、スイッチャ９には、再生用ＶＴＲ５から再生映像信号Ｖｉｎ、テロップ装置６からキー信号Ｋｏｕｔと文字や図形等のＣＧ画像Ｖｏｕｔ‘が供給される。テロップ装置６内でＶｉｎを合成する場合もあるので、スイッチャ経由で再生映像信号Ｖｉｎ’をテロップ装置６に加えておく。
【００１０】
スイッチャ９では映像信号Ｖｉｎと文字や図形等のＣＧ画像Ｖｏｕｔ‘との合成を、キー信号Ｋｏｕｔを基にして行い、合成画像Ｖｏｕｔを生成する。そしてこのＶｏｕｔを録画用ＶＴＲに供給しＴａｐｅに録画する。
【００１１】
次にテロップ装置６の概要図を図３に示し、動作例を説明する。このテロップ装置６は、映像分配部６０、同期信号分離部６１、ＣＧ信号発生部６２、基準パルス発生部６３、キー信号発生部６４、ミキサ６５、分配部６６、及びＳＷ１，ＳＷ２より構成する。
【００１２】
まず、テロップ装置６の映像分配部６０に映像信号Ｖｉｎを加え２つの映像信号Ｖ１，Ｖ２に分配する。映像信号Ｖ２は同期信号分離部６１により映像信号Ｖ２に含まれる同期信号Ｐ０のみを取り出して、基準パルス発生部６３に加える。
【００１３】
基準パルス発生部６３からは、キー信号及びＣＧ信号を映像信号Ｖｉｎとタイミングを合わせるための基準信号Ｐ１及びＰ２を生成し、それぞれキー信号発生部６４とＣＧ信号発生部６２に加える。
【００１４】
そして、キー信号発生部６４からはキー信号Ｋ０を生成し分配部６６を経由してキー信号出力Ｋｏｕｔが、ＣＧ信号発生部６２からはＣＧ信号Ｃ０を生成しＳＷ１のｃ→ａ、ＳＷ２のａ→ｃ、を経由して映像信号出力Ｖｏｕｔとしてそれぞれテロップ装置６から出力する。
【００１５】
このようにＳＷ１をｃ→ａ、ＳＷ２をａ→ｃ、とすれば、ＣＧ信号Ｃ０のみを映像信号出力Ｖｏｕｔとして出力する。
【００１６】
次に予め、ＳＷ１をｃ→ｂ、ＳＷ２をｂ→ｃ、としておけば、分配した映像信号の中のＶ１とＣＧ信号Ｃ０を、ミキサ６５で分配したキー信号Ｋ２で合成すれば合成信号Ｍ０を得る。この合成信号Ｍ０を映像信号Ｖｏｕｔとして出力する。
【特許文献１】特開平１０−２１４０７７号公報
【特許文献２】特開平１１−２２５２８５号公報
【発明の開示】
【発明が解決しようとする課題】
【００１７】
従来の標準的なテロップ装置では、映像信号とＣＧ信号の合成を行う際に、映像信号とＣＧ信号のタイミングが合わず、位相ずれや同期外れが生じる場合があった。このような場合、映像信号のタイミングがずれているのか、ケーブルの接続状態が悪いのか、不具合の原因が分からず、この対応にテスト信号発生装置のような調査用機材の準備が必要な時は長時間要してしまう点が問題であった。
【００１８】
そこで本発明は、上述した問題点を解決して、映像信号の供給側か、ＣＧ信号を生成し映像信号と合成するテロップ装置側か、どちらに原因があるのかを短時間で簡単に把握出来るテロップ装置を提供することを目的とする。
【課題を解決するための手段】
【００１９】
上記目的を達成するため、第１の発明のテロップ装置は、文字や図形などからなるＣＧ信号を生成するＣＧ信号生成手段(ＣＧ信号発生部６２)と、映像信号を入力する映像信号入力手段（ＳＷ３）と、テスト信号を生成するテスト信号生成手段(テスト信号発生部６７)と、前記映像信号と前記テスト信号のいずれかを選択する選択手段（ＳＷ３）と、前記ＣＧ信号と、前記映像信号と前記テスト信号のいずれかの出力信号との表示画面上における合成範囲及び合成量を制御するキー信号を生成するキー信号生成手段(キー信号発生部６４)と、前記ＣＧ信号と、前記映像信号と前記テスト信号のいずれかの信号とを用いて、前記キー信号により前記合成範囲及び合成量をそれぞれ制御して合成映像信号を生成する合成映像信号生成手段（ミキサ６５）と、を有するテロップ装置において、前記選択手段により前記テスト信号を選択し前記ＣＧ信号との前記合成映像信号を生成し出力するものである。
【００２０】
上記目的を達成するため、第２の発明のテロップ装置は、文字や図形などからなるＣＧ信号を生成するＣＧ信号生成手段と、映像信号を入力する映像信号入力手段と、前記ＣＧ信号と映像信号との表示画面上における合成範囲及び合成量を制御するキー信号を生成するキー信号生成手段と、前記ＣＧ信号と前記映像信号とを用いて、前記キー信号により前記合成範囲及び合成量をそれぞれ制御して合成映像信号を生成する合成映像信号生成手段と、前記キー信号と前記合成映像信号のいずれかを選択する選択手段（ＳＷ４）と、を有するテロップ装置において、前記選択手段により前記キー信号を選択して出力することを特徴とするテロップ装置。
【発明の効果】
【００２１】
本発明のテロップ装置によれば、映像信号にテロップ信号を合成するテロップシステムにおいて、異常発生時に映像信号の供給側か、テロップ信号を生成し映像信号と合成するテロップ装置側のどちらに原因があるのかを短時間で簡単に把握出来るという効果を得ることが出来る。
【発明を実施するための最良の形態】
【００２２】
以下、本発明の実施の最良の形態につき、好ましい実施例により、図面を参照して説明する。
【実施例１】
【００２３】
図１に本発明に係るテロップ装置６の概要図を示す。このテロップ装置６は、映像分配部６０、同期信号分離部６１、ＣＧ信号発生部６２、基準パルス発生部６３、キー信号発生部６４、ミキサ６５、分配部６６、テスト信号発生部６７、及びＳＷ１，ＳＷ２、ＳＷ３、ＳＷ４より構成する。
【００２４】
テスト信号発生部６７は同期信号を含む標準映像信号を出力する。標準映像信号としては、例えばカラーバー、階段波形、マルチバースト、風景画像、人物画像、町並み画像等を記憶しておき、状況に応じ選択して用いる。
【００２５】
まず、図１(Ａ)に示すようにＳＷ３のｂとｃとを接続し、テスト信号発生部６７からテスト信号Ｔ０を映像分配部６０に加える。そして映像分配部６０で２つの映像信号Ｖ１，Ｖ２に分配する。映像信号Ｖ２は同期信号分離部６１により映像信号Ｖ２に含まれる同期信号Ｐ０のみを取り出して、基準パルス発生部６３に加える。
【００２６】
基準パルス発生部６３からは、キー信号及びＣＧ信号を映像信号Ｖｉｎとタイミングを合わせるための基準信号Ｐ１及びＰ２を生成し、それぞれキー信号発生部６４とＣＧ信号発生部６２に加える。
【００２７】
そして、キー信号発生部６４からはキー信号Ｋ０を生成し分配部６６を経由してキー信号出力Ｋｏｕｔが、ＣＧ信号発生部６２からはＣＧ信号Ｃ０を生成しＳＷ１のｃ→ａ、ＳＷ２のａ→ｃ、ＳＷ４のａ→ｃを経由して映像信号出力Ｖｏｕｔとしてそれぞれテロップ装置６から出力する。
【００２８】
このようにＳＷ１をｃ→ａ、ＳＷ２をａ→ｃ、とすれば、ＣＧ信号Ｃ０のみを映像信号出力Ｖｏｕｔとして出力する。
【００２９】
そして図２(Ａ)に示すようなテロップシステムにテロップ装置６を配置し、ＣＧ信号Ｃ０のみの映像信号出力Ｖｏｕｔを、録画用ＶＴＲ経由でビデオモニタ４に表示し、正常なＣＧ画像が表示されることを確認する。
【００３０】
次に図１(Ｂ)に示すようにＳＷ３のａとｃとを接続し、図２（Ａ）の再生用ＶＴＲ５からの再生映像信号をＶｉｎとしてテロップ装置６の映像分配部６０に加える。そうすると、図１（Ａ）のテスト信号Ｔ０が再生映像信号Ｖｉｎと入れ替わった状態で、テロップ装置６からＣＧ信号Ｃ０のみの映像信号出力Ｖｏｕｔが出力されるから、テロップシステムに接続した録画用ＶＴＲ経由でビデオモニタ４に表示し、再生映像信号をＶｉｎとして入力しても正常なＣＧ画像が表示されることを確認する。
【００３１】
すなわち、ＳＷ３をａとｃかｂとｃに切り替えることにより、簡単にテスト信号、または再生映像信号によって得られるＣＧ信号の差異を比較することが出来る。実使用時にはテスト信号は正常に設定されているから、まず映像信号出力Ｖｏｕｔ以降のシステムをテスト信号により正常に動作するよう調整し、次に映像信号Ｖｉｎに切り替えて動作確認を行う。
【００３２】
更に詳細に確認を行う場合は、ＳＷ３をｂとｃ、ＳＷ１をｃとｂ、ＳＷ２をｂとｃ、ＳＷ４をａとｃに設定し、テスト信号Ｔ０とＣＧ信号Ｃ０をキー信号Ｋ２により合成して得た合成信号Ｍ０と、キー信号Ｋ１とをテロップ装置６から出力して、映像信号出力Ｖｏｕｔ以降のシステムの動作を確認する。
【００３３】
このとき、テスト信号Ｔ０の標準映像信号は、入力する映像信号Ｖｉｎに類似したものを選択して用いる。例えば自然画像を対象にしたものであれば、風景画像、人物画像、町並み画像等を用いる。
【００３４】
そして、ＳＷ３をａとｃに設定すれば、簡単に映像信号Ｖｉｎに切り替えることが出来る。またＳＷ４をｂとｃに設定すればキー信号のみが映像信号出力となる。
【００３５】
更に、ＳＷ３をｂとｃ、ＳＷ１をｃとａ、ＳＷ２をｂとｃ、Ｓｗ４をａとｃとすれば、テスト信号をキー信号により合成範囲及び合成量を制御して映像信号出力とすることが出来る。
【００３６】
またキー信号を映像信号として表示する場合は、ＳＷ４をｂとｃに設定すれば、分配部６６よりキー信号Ｋ３が映像信号Ｖｏｕｔとして出力されるから、これをモニタ４に表示する。このように、キー信号Ｋ３の設定状態も簡単に把握できる。さらに、外部に接続されたスイッチャで映像信号とＣＧ信号との合成を行う場合に、スイッチャに供給されているキー信号Ｋ３の状態を確認できる。
【図面の簡単な説明】
【００３７】
【図１】本発明に係るテロップ装置の概要を示す図である。
【図２】本発明に係るテロップシステム例を示す図である。
【図３】従来のテロップ装置を示す図である。
【符号の説明】
【００３８】
１，２，４ビデオモニタ
３  制作用ディスプレイ
５  再生用ＶＴＲ
６  テロップ装置
７  録画用ＶＴＲ
８  同期信号発生器
９  スイッチャ
６０  映像分配部
６１  同期信号分離部
６２  ＣＧ信号発生部        （ＣＧ画像生成手段）
６３  基準パルス発生部
６４  キー信号発生部        （キー信号生成手段）
６５  ミキサ                （合成映像信号生成手段）
６６  分配部
６７  テスト信号発生部      （テスト信号発生手段）
ＳＷ１：（第２の選択手段）
ＳＷ２：（第３の選択手段）
ＳＷ３：(第１の選択手段)    （映像信号入力手段）、（選択手段）
ＳＷ４：（第４の選択手段）    （選択手段）
【図１】
2005229458.tif 000003
【図２】
2005229458.tif 000004
【図３】
2005229458.tif 000005